(57)【特許請求の範囲】
【請求項１】
複数の支柱が立設されており、該支柱の夫々の上端に掛け渡して手摺りが取り外し可能に配設されており、隣合う前記支柱間に矩形状の太陽電池パネルを取り付けた取付構造であって、前記支柱の側面に溝が形成されており、該溝に前記太陽電池パネルの一縁部を嵌挿させて支持し、前記手摺りを取り外すことにより着脱自在となるべく前記太陽電池パネルを取り付けるようにしたことを特徴とする太陽電池パネル取付構造。
【請求項２】
前記太陽電池パネルの出力を外部の負荷に送るための第１導電部が前記溝に設けられており、前記太陽電池パネルの出力を外部に取り出すための第２導電部が前記太陽電池パネルの一縁部に設けられており、前記太陽電池パネルの一縁部を前記溝に嵌挿した状態で、前記第１導電部と前記第２導電部とが電気的に接続するようにした請求項１記載の太陽電池パネル取付構造。
【請求項３】
前記太陽電池パネルの出力を外部の負荷に送るための第１導電部が前記手摺りに設けられており、前記太陽電池パネルの出力を外部に取り出すための第２導電部が前記太陽電池パネルの前記手摺り側の一縁部に設けられており、前記手摺りを前記支柱に掛け渡した状態で、前記第１導電部と前記第２導電部とが電気的に接続するようにした請求項１記載の太陽電池パネル取付構造。
【請求項４】
前記太陽電池パネルは、両側の面からの光入射による発電が可能な両面発電構造を有する請求項１〜３の何れかに記載の太陽電池パネル取付構造。
【請求項５】
請求項１〜４の何れかに記載の太陽電池パネル取付構造における前記溝に嵌挿可能であって、前記太陽電池パネルと同系色であることを特徴とする彩色板。
【発明の詳細な説明】
【０００１】
【発明の属する技術分野】
本発明は、太陽電池パネルの取付構造に関し、特に、マンション等の集合住宅，ビルの屋上等への取付けに好適である太陽電池パネル取付構造に関する。
【０００２】
【従来の技術】
近年、公的機関からの資金援助が導入されるに従って、太陽発電システムの個人住宅への普及が拡大している。このような状況にあって、一戸建て住宅だけでなく、マンション等の集合住宅についても太陽発電システムの導入が進められている。
【０００３】
一戸建て住宅の場合には、太陽電池パネルを屋根または屋上に取り付けることが一般的であり、その取付け処理は比較的容易である。これに対して、マンション等の集合住宅にあっては、各戸において専有の屋根，屋上が存在せず、太陽電池パネルの取付け処理が容易であるような設置場所の確保が難しい。
【０００４】
そこで、集合住宅のバルコニー，ベランダを有効利用する試みがなされている。例えば、特開平１０−２１９８１４号公報には、バルコニーの外壁面に、傾斜角度を適宜調整して太陽電池パネルを取り付け、太陽電池パネルの配線を行う配管をバルコニーの床面に設けるようにした太陽電池パネル取付構造が開示されている。
【０００５】
【発明が解決しようとする課題】
しかしながら、特開平１０−２１９８１４号公報により、後付けで太陽電池パネルを設置しようとした場合、バルコニーの外壁面に取付け用の穴をあけたり、また、バルコニーの床面に配線用の配管を設けなければならず、非常に大掛かりな工事を必要とし、更に、防水対策等にも費用がかかり、住人負担の設置コストが高くなるという問題がある。一方、集合住宅の建設時に先付けで各戸に太陽電池パネルを設置しておく場合には、このような問題は解消されるが、逆に太陽電池パネル設置の有無を住人が選択できないという問題がある。
【０００６】
また、ビル屋上のフェンスの代わりに、太陽電池パネルを設置することも検討されている。しかしながら、太陽電池パネルを取り付けるための専用の架台を新たに準備する必要がある、フェンスと架台とを固定するための設備を新たに設ける必要がある等の問題があり、その普及はあまり進んでいない。
【０００７】
本発明は斯かる事情に鑑みてなされたものであり、後付けであっても大掛かりな工事を要せず極めて容易にバルコニー，ベランダ，屋上フェンス等に太陽電池パネルを設置することができ、また、その太陽電池パネルの着脱も自由に簡単に行える太陽電池パネル取付構造を提供することを目的とする。
【０００８】
【課題を解決するための手段】
第１発明に係る太陽電池パネル取付構造は、複数の支柱が立設されており、該支柱の夫々の上端に掛け渡して手摺りが取り外し可能に配設されており、隣合う前記支柱間に矩形状の太陽電池パネルを取り付けた取付構造であって、前記支柱の側面に溝が形成されており、該溝に前記太陽電池パネルの一縁部を嵌挿させて支持し、前記手摺りを取り外すことにより着脱自在となるべく前記太陽電池パネルを取り付けるようにしたことを特徴とする。
【０００９】
第１発明の太陽電池パネル取付構造にあっては、手摺りをはずした状態で、立設された各支柱の側面に形成されている溝に太陽電池パネルの一縁部を嵌挿させて支持固定した後、各支柱の夫々の上端に手摺りを掛け渡して、隣合う支柱間に太陽電池パネルを設置する。よって、支柱の溝に太陽電池パネルの一縁部をすべり込ませて固定するので、太陽電池パネル取付け用の穴形成は不要であり、太陽電池パネルの取付けを容易に行える。また、手摺りをはずすことにより、太陽電池パネルの支柱への着脱処理を簡単に行える。
【００１０】
第２発明に係る太陽電池パネル取付構造は、第１発明において、前記太陽電池パネルの出力を外部の負荷に送るための第１導電部が前記溝に設けられており、前記太陽電池パネルの出力を外部に取り出すための第２導電部が前記太陽電池パネルの一縁部に設けられており、前記太陽電池パネルの一縁部を前記溝に嵌挿した状態で、前記第１導電部と前記第２導電部とが電気的に接続するようにしたことを特徴とする。
【００１１】
第２発明の太陽電池パネル取付構造にあっては、支柱の溝に太陽電池パネルの一縁部を嵌挿させた際に、溝に設けられている発電出力を外部の負荷に送るための第１導電部と、太陽電池パネルの一縁部に設けられている発電出力を外部に取り出すための第２導電部とが電気的に接続する。よって、特に複雑な配線を設けることなく、簡単な構成で、発電出力を外部の負荷に供給できる。
【００１２】
第３発明に係る太陽電池パネル取付構造は、第１発明において、前記太陽電池パネルの出力を外部の負荷に送るための第１導電部が前記手摺りに設けられており、前記太陽電池パネルの出力を外部に取り出すための第２導電部が前記太陽電池パネルの前記手摺り側の一縁部に設けられており、前記手摺りを前記支柱に掛け渡した状態で、前記第１導電部と前記第２導電部とが電気的に接続するようにしたことを特徴とする。
【００１３】
第３発明の太陽電池パネル取付構造にあっては、手摺りを支柱に掛け渡せた際に、手摺りに設けられている発電出力を外部の負荷に送るための第１導電部と、太陽電池パネルの手摺り側の一縁部に設けられている発電出力を外部に取り出すための第２導電部とが電気的に接続する。よって、特に複雑な配線を設けることなく、簡単な構成で、発電出力を外部の負荷に供給できる。
【００１４】
第４発明に係る太陽電池パネル取付構造は、第１〜第３発明の何れかにおいて、前記太陽電池パネルは、両側の面からの光入射による発電が可能な両面発電構造を有することを特徴とする。
【００１５】
第４発明の太陽電池パネル取付構造にあっては、両側の面からの光入射による発電が可能である両面発電構造の太陽電池パネルを使用する。よって、屋外からの入射光だけでなく、屋内側の壁等で反射される光も発電に利用でき、より大きい発電出力が得られる。
【００１６】
第５発明に係る彩色板は、第１〜第４発明の何れかの太陽電池パネル取付構造における前記溝に嵌挿可能であって、前記太陽電池パネルと同系色であることを特徴とする。
【００１７】
第５発明にあっては、太陽電池パネルの取付けが不要である場合に、太陽電池パネルと同系色であるガラス板，アクリル板等の彩色板を溝に嵌挿する。よって、太陽電池パネルの設置の有無に伴う外観の色合いの影響を防止できる。
【００１８】
【発明の実施の形態】
以下、本発明をその実施の形態を示す図面を参照して具体的に説明する。
【００１９】
（第１実施の形態）
図１は、本発明の第１実施の形態による太陽電池パネル取付構造を示す模式図である。図１において、１はマンション等の集合住宅におけるバルコニーを示している。このバルコニー１の堰壁上には、長尺の直方体状をなす複数の支柱２が一定の間隔で立設されている。これらの各支柱２の上端には、長尺の直方体状をなす手摺り３が配設される。手摺り３の長手方向に垂直である各支柱２の側面には、両端の側面を除いて、その全長域にわたって溝５が形成されている。
【００２０】
これらの各支柱２と、その各支柱２の上端に配設された手摺り３との間に、偏平矩形状の各太陽電池パネル４が挟み込まれた態様で取り付けられている。隣合う支柱２，２の側面に形成された溝５，５に、各太陽電池パネル４の対向する２つの一端部を嵌挿させて支持すると共に、各支柱２の上端にネジ止めされる手摺り３にて各太陽電池パネル４を設置固定する。この手摺り３を取り外すことにより、各太陽電池パネル４を着脱自在にすることができる。
【００２１】
なお、弾力性があるゴム等の部材またはスプリング機構を溝５内に設けることにより、太陽電池パネル４に対して風圧等の外部衝撃が加わった場合にも、その外部衝撃に十分耐え得る構造となる。
【００２２】
図２は、上述した太陽電池パネル取付構造における電気的接続構成の一例（以下、第１例という）を示す模式図である。各支柱２の溝５の略中央に、導電部材６が設けられており、１本の支柱２内の導電部材６，６同士は、接続部材７で接続されている。また、各太陽電池パネル４の嵌挿される２つの一端部の略中央には、各太陽電池パネル４からの発電出力を取り出す正極側の金属端子８，負極側の金属端子９が夫々設けられている。なお、太陽電池パネル４を溝５に嵌挿させて完全に固定された場合に、導電部材６と正極側の金属端子８、及び、導電部材６と負極側の金属端子９とが合致するように、これらの導電部材６、金属端子８，９の設置位置が決められている。
【００２３】
よって、第１例では、各太陽電池パネル４を取り付けた場合に、導電部材６と金属端子８，９とが電気的に接続されるので、各太陽電池パネル４での発電出力（出力電流）を、金属端子８，９から取り出し、それらを直列合成して両端の導電部材６，６から外部の負荷に供給することができる。
【００２４】
図３は、上述した太陽電池パネル取付構造における電気的接続構成の他の例（以下、第２例という）を示す模式図である。手摺り３には、正極側の導電部材１０及び負極側の導電部材１１が夫々等ピッチで設けられている。各正極側の導電部材１０同士及び各負極側の導電部材１１同士は、夫々配線１２及び１３によって接続されている。また、各太陽電池パネル４の手摺り３側の一端部には、各太陽電池パネル４からの発電出力を取り出す正極側の金属端子１４及び負極側の金属端子１５が設けられている。なお、手摺り３を各支柱２の上端に掛け渡してネジ止め固定された場合に、導電部材１０と金属端子１４、及び、導電部材１１と金属端子１５とが合致するように、これらの導電部材１０，１１、金属端子１４，１５の設置位置が決められている。
【００２５】
よって、第２例では、各太陽電池パネル４を取り付けた場合に、導電部材１０と金属端子１４、及び、導電部材１１と金属端子１５とが電気的に接続されるので、各太陽電池パネル４での発電出力（出力電流）を、金属端子１４，１５から取り出し、それらを並列的に導電部材１０，１１、配線１２，１３を介して外部の負荷に供給することができる。
【００２６】
図２，図３の構成を有する第１例，第２例の何れにあっても、太陽電池パネル４を取付け固定した際に、太陽電池パネル４の発電出力を取り出すための電気的接続も同時に形成できるので、電力取出し用の特別な配線形成の処理を行う必要がない。
【００２７】
第１例では、複数の太陽電池パネル４の直列接続を簡便に行え、１つの太陽電池パネル４における出力電圧が数十ボルトである場合に有効な接続方式である。これに対して、第２例では、複数の太陽電池パネル４の並列接続を簡便に行え、１つの太陽電池パネル４における出力電圧が２００ボルト程度である場合に有効な接続方式である。また、バルコニー１全面でなくその一部にのみ太陽電池パネル４を設ける場合に、この第２例は好適である。
【００２８】
以上のような太陽電池パネル４の設置固定手法及び電気的接続手法を採用することにより、種々の出力特性を有する複数の太陽電池パネル４を、大掛かりな作業を行うことなく極めて簡便に、バルコニ１に着脱可能に取り付けることができる。よって、太陽電池パネル４が不良となった場合にも、容易に交換できる。また、太陽電池パネル４をレンタル契約にて設置する場合にも、有用な取付構造となる。
【００２９】
太陽電池パネル４の設置場所がバルコニー１という限られた小面積の領域であることを考えた場合、より大きな発電出力を得るためには、両側の面からの光を発電に寄与できるようした両面発電構造を有する太陽電池パネル４を使用することが好ましい。このような太陽電池パネル４を使用した場合、室外からの入射光だけでなく、室内の壁等で反射された光も利用することができ、大きな発電出力を期待できる。
【００３０】
ところで、太陽電池パネル４の設置を住人が希望しない場合が考えられる。このような場合には、太陽電池パネル４と同系色であるガラス，アクリル板等の彩色板を、太陽電池パネル４と同様に、支柱２の溝５に嵌挿させる。このようにすることにより、太陽電池パネル４の有無によって集合住宅の外観がまだら色になることを防止でき、美観的な支障が発生しない。また、例えば引っ越しの際に、太陽電池パネル４のみをはずしてこのような彩色板に取り換えることが容易である。なお、互換性の点を考慮して、使用する太陽電池パネル４のサイズを、一般的に用いられている彩色板のサイズに合わせておくことが好ましい。
【００３１】
なお、上述した例では、太陽電池パネル４をバルコニーに取り付ける場合について説明したが、ベランダ，窓等のような４辺を支持枠で挟持された他の建材についても本発明を適用できることは勿論である。
【００３２】
（第２実施の形態）
図４は、本発明の第２実施の形態による太陽電池パネル取付構造を示す模式図である。図４において、２１はビル屋上のフェンスを示しており、フェンス２１には、長尺の直方体状をなす複数の支柱２２が一定の間隔で立設されている。これらの各支柱２２の上端には、長尺の直方体状をなす手摺り２３が配設される。手摺り２３の長手方向に垂直である各支柱２２の側面には、両端の側面を除いて、その全長域にわたって溝２５が形成されている。
【００３３】
これらの各支柱２２と、その各支柱２２の上端に配設された手摺り２３との間に、偏平矩形状の各太陽電池パネル２４が挟み込まれた態様で取り付けられている。隣合う支柱２２，２２の側面に形成された溝２５，２５に、各太陽電池パネル２４の対向する２つの一端部を嵌挿させて支持すると共に、各支柱２２の上端にネジ止めされる手摺り２３にて各太陽電池パネル２４を設置固定する。この手摺り２３を取り外すことにより、各太陽電池パネル２４を着脱自在にすることができる。
【００３４】
なお、弾力性があるゴム等の部材またはスプリング機構を溝２５内に設けることにより、太陽電池パネル２４に対して風圧等の外部衝撃が加わった場合にも、その外部衝撃に十分耐え得る構造となる。
【００３５】
この第２実施の形態による太陽電池パネル取付構造における電気的接続構成としては、前述した第１実施の形態の場合と全く同様なもの（第１例，第２例）を採用でき、また、その第１例，第２例の好適例も同様である。よって、それらの説明は省略する。
【００３６】
この第２実施の形態では、フェンス２１の支柱２２を、太陽電池パネル２４を取り付けるための架台として利用でき、システムコストの低減を図れる。また、フェンス２１と一体に太陽電池パネル２４を設置できるので、全体の外観は良好である。また、第２実施の形態でも、第１実施の形態と同様、種々の出力特性を有する複数の太陽電池パネル２４を、大掛かりな作業を行うことなく極めて簡便に、フェンス２１に着脱可能に取り付けることができる。よって、太陽電池パネル２４が不良となった場合にも、容易に交換できる。また、太陽電池パネル２４をレンタル契約にて設置する場合にも、有用な取付構造となる。
【００３７】
また、第１実施の形態と同様、より大きな発電出力を得るためには、両側の面からの光を発電に寄与できるようした両面発電構造を有する太陽電池パネル２４を使用することが好ましい。このような太陽電池パネル２４を使用した場合、両方向からの光を利用することができ、大きな発電出力を期待できる。
【００３８】
更に、太陽電池パネル２４を設置しない部分には、第１実施の形態と同様に、太陽電池パネル２４と同系色であるガラス，アクリル板等の彩色板を支柱２２の溝２５に嵌挿させるようにすることにより、フェンス２１全体の外観がまだら色になることを防止でき、美観的な支障が発生しない。
【００３９】
なお、上述した第１，第２実施の形態では、太陽電池パネル４，２４を嵌挿支持するための支柱２，２２がバルコニー１，フェンス２１に対して垂直になっている場合に限らず、太陽光線を有効に受光できるように、所定の角度（１５〜９０度）で傾斜していても良いことは勿論である。
【００４０】
【発明の効果】
以上のように、第１発明の太陽電池パネル取付構造では、立設された各支柱の側面に形成されている溝に太陽電池パネルの一縁部を嵌挿させて支持固定した後、各支柱の夫々の上端に手摺りを掛け渡して、隣合う支柱間に太陽電池パネルを設置するようにしたので、太陽電池パネル取付け用の穴形成等の大掛かりな作業が不要であって太陽電池パネルの設置を低コストかつ容易に行うことができると共に、手摺りをはずすことによって太陽電池パネルの着脱処理を簡単に行うことができる。
【００４１】
また、第２発明の太陽電池パネル取付構造では、支柱の溝に太陽電池パネルの一縁部を嵌挿した状態で、溝に設けられている発電出力を外部の負荷に送るための第１導電部と、太陽電池パネルの一縁部に設けられている発電出力を外部に取り出すための第２導電部とが電気的に接続するようにしたので、特に複雑な配線を設けることなく、簡単な構成で、発電出力を外部の負荷に供給できる。
【００４２】
また、第３発明の太陽電池パネル取付構造では、手摺りを支柱に掛け渡した状態で、手摺りに設けられている発電出力を外部の負荷に送るための第１導電部と、太陽電池パネルの手摺り側の一縁部に設けられている発電出力を外部に取り出すための第２導電部とが電気的に接続するようにしたので、特に複雑な配線を設けることなく、簡単な構成で、発電出力を外部の負荷に供給できる。
【００４３】
また、第４発明の太陽電池パネル取付構造では、両面発電構造を有する太陽電池パネルを使用するようにしたので、屋外入射光だけでなく、屋内の壁等から反射される光も発電に利用でき、より大きい発電出力を得ることができる。
【００４４】
更に、第５発明の彩色板では、太陽電池パネルの取付けが不要である場合に、太陽電池パネルと同系色であるガラス板，アクリル板等の彩色板を溝に嵌挿することができ、太陽電池パネルの設置の有無に伴う外観の色合いの影響を防止できる。
【図面の簡単な説明】
【図１】本発明の第１実施の形態による太陽電池パネル取付構造を示す模式図である。
【図２】本発明の太陽電池パネル取付構造における電気的接続構成の一例を示す模式図である。
【図３】本発明の太陽電池パネル取付構造における電気的接続構成の他の例を示す模式図である。
【図４】本発明の第２実施の形態による太陽電池パネル取付構造を示す模式図である。
【符号の説明】
１  バルコニー
２，２２  支柱
３，２３  手摺り
４，２４  太陽電池パネル
５，２５  溝
６，１０，１１  導電部材
８，９，１４，１５  金属端子
２１  フェンス
【図１】
0003995395.tif 000002
【図２】
0003995395.tif 000003
【図３】
0003995395.tif 000004
【図４】
0003995395.tif 000005